(57)【要約】　　　（修正有）【課題】事務機器の静電気除去に使用される除電ブラシにおいて、コスト高を押えつつ、ブラシ繊維束と基材との導通を確実に果すことのできる除電ブラシを提供する。【解決手段】導電性板状金属からなる基材１ａ面に、多数の導電性ブラシ繊維束４ａの各一端部分を非導電性粘着剤５ａにより互に平行に貼着保持させた構成において、上記基材の少なくとも一部に、上記各ブラシ繊維束がわへ屈曲する段部３ａを形成し、該段部を上記各ブラシ繊維束に圧接させた、除電ブラシ。【選択図】　　図２
0003098736.tif 000002
【実用新案登録請求の範囲】
【請求項１】
導電性板状金属からなる基材面に、多数の導電性ブラシ繊維束の各一端部分を非導電性粘着剤により互に平行に貼着保持させた構成において、
上記基材の少なくとも一部に、上記各ブラシ繊維束がわへ屈曲する段部を形成し、該段部を上記各ブラシ繊維束に圧接させた、
除電ブラシ。
【考案の詳細な説明】
【０００１】
【考案の属する技術分野】
本考案は、複写機、ファクシミリ、プリンター等の事務機器又は印刷機器における静電気除去のためのアース取りが容易となる除電ブラシに関する。
【０００２】
【従来の技術】
一般に、事務機器等においては、除電ブラシを貼着する面が非導電性の合成樹脂製品である場合が多くなっており、そのような場合除電ブラシにおけるブラシ繊維束を支持する基材をアルミ材等の導電性材料でつくり、該導電性基材から直接アースを取るようにすれば、上記の合成樹脂製事務機器等に対してもアース取りが容易となる。
【０００３】
そこで、従来、図６（イ）に示すように、アルミ合金薄板からなる２つ折りの導電性基材（ａ）の内側に導電性粘着剤（ｂ）を介してブラシ繊維束（ｃ）を貼着挾持して、ブラシ繊維束（ｃ）を基材（ａ）に導通させたものが知られているが、導電性粘着剤の価格が通常の非導電性粘着剤の４〜５倍と高価であるため製品コストがかさむ欠点があった。
【０００４】
又、同図（ロ）に示すように、アルミ合金薄板からなる２つ折りの導電性基材（ａ’）の内側に通常の非導電性粘着剤（ｂ’）を介してブラシ繊維束（ｃ’）を貼着挾持すると共に、ブラシ繊維束（ｃ’）の上端部を延長し、該延長部（ｄ’）を導電性基材（ａ’）の内側面に当接させて、ブラシ繊維束を導電性基材に導通させたものも知られているが、ブラシ繊維束を余分に長くする点でコスト高となり、しかもブラシ繊維束と基材内側面との当接が不確実となる難点があった。
【０００５】
【考案が解決しようとする課題】
本考案は、コスト高を押えつつ、ブラシ繊維束と導電性基材との導通を確実に果すことのできる除電ブラシを提供することを課題とする。
【０００６】
【課題達成の手段】
そこで、本考案は、
導電性板状金属からなる基材面に、多数の導電性ブラシ繊維束の各一端部分を非導電性粘着剤により互に平行に貼着保持させた構成において、
上記基材の少なくとも一部に、上記各ブラシ繊維束がわへ屈曲する段部を形成し、該段部を上記各ブラシ繊維束に圧接させた、
除電ブラシを提案する。
【０００７】
本考案における上記「導電性板状金属からなる基材」には、アルミニウム合金、銅、スズメッキ鋼等の導電性でプレス加工の容易な板又は薄板が使用される。
【０００８】
又、上記「導電性ブラシ繊維束」には、ステンレス鋼、銅・亜鉛合金、ニッケル・チタン合金等の導電性弾性金属繊維、又はカーボン繊維、アクリル繊維等の合成繊維に金属等の導電性材料を蒸着したもの等の導電性弾性細線の束が使用される。
【０００９】
さらに、上記「基材の少くとも一部に」段部を形成し、とは、段部が基材の一個所に限らず、複数個所に形成したものも含む。
以下図面を参照して本考案の実施例について詳述する。
【００１０】
【実施例】
図１（イ）、（ロ）において、基材（１）は長方形のアルミ合金板で、その長辺がわ端部に、後述のブラシ繊維束を貼着すべき裏面（２）がわへ階段状に一段屈曲する段部（３）をプレス加工により形成してあり、この基材（１）の裏面（２）に、ブラシ繊維束の多数束（４）…の各一端部分を通常の非導電性粘着剤（５）により互に間隔をあけ且つ互に平行に貼着し、ブラシ繊維束（４）…の他端部を基材（１）から平行に突出させている。（６）は、非導電性粘着剤（７）、（７）を両面に有する両面粘着テープで、上記ブラシ繊維束（４）…の一端部分の裏面に貼付してある。（８）は上記両面粘着テープ（６）の裏面粘着剤（７）に貼付した剥離紙である。
【００１１】
この場合、上記段部（３）は、図示のようにブラシ繊維束（４）…を粘着剤（５）による基材（１）との貼着面から裏面がわへ押し曲げた状態で、ブラシ繊維束（４）…に導通状態に圧接する。
【００１２】
使用においては、上記両面粘着テープ（６）の剥離紙（８）を剥離し、その粘着剤（７）面を事務機器の非導電性被貼着面（Ｆ）に貼着してブラシ繊維束（４）…を静電気発生物と接すべき位置に垂下し、ついで基材（１）の一端部を、例えば予め配置したアース端子と接続する。このようにすれば、各ブラシ繊維束（４）が段部（３）において基材（１）と導通し、それによりブラシ繊維束（４）…に吸着した静電気を段部（３）を経て基材（１）に流れ、アース端子を経てアースされる。
【００１３】
図２に示す他の実施例は、Ｕ字状に２つ折りしたアルミ合金薄板からなる基材（１ａ）の内側において、ブラシ繊維束（４ａ）…の各一端部分を非導電性粘着剤（５ａ）により基材（１）の一方の裏面（２ａ）に貼着し、基材（１ａ）の両端部に形成した段部（３ａ）、（３ａ）をブラシ繊維束（４ａ）…をはさんで互に強く合着させて、ブラシ繊維束（４ａ）…を基材（１ａ）に導通させた例である。
【００１４】
図３に示すさらに他の実施例は、Ｕ字状に折った導電性金属からなる基材（１ｂ）の内側において、２つ折り重ねたブラシ繊維束（４ｂ）…の各折曲端部分を非導電性粘着剤（５ｂ）、（５ｂ）により基材（１ｂ）の両裏面（２ｂ）、（２ｂ）にそれぞれ貼着し、基材（１ｂ）の段部（３ｂ）、（３ｂ）を２つ折り重ねのブラシ繊維束（４ａ）に強く合着させてある。
【００１５】
図４に示す別の実施例は、Ｕ字状に折った導電性金属からなる基材（１ｃ）の内側において、ブラシ繊維束（４ｃ）…の各一端部分を基材（１ｃ）の内側裏面（２ｃ）、（２ｃ）に非導電性粘着剤（５ｃ）、（５ｃ）により貼着し、基材（１ｃ）の両端部分の段部（３ｃ）、（３ｃ）及び基材（１ｃ）の折曲端部分の段部（３ｃ’）、（３ｃ’）をそれぞれブラシ繊維束（４ｃ）…をはさんで互に強く合着させて、ブラシ繊維束（４ｃ）…を２ヶ所で基材（１ｃ）に導通させてある。
【００１６】
図５に示すさらに別の実施例は、Ｕ字状に折った導電性金属からなる基材（１ｄ）の両端部分に形成された段部（３ｄ）、（３ｄ）の内側面を平坦面とし、該平坦面におけるブラシ繊維束（４ｄ）…を挾持すべき位置に、同図（ロ）に示すようにブラシ繊維束（４ｄ）の半断面よりやや浅い半円筒状の挾持溝（９ｄ）…、（９ｄ）…をそれぞれ凹設し、それにより上記段部（３ｄ）、（３ｄ）の合着時に、対面する各挾持溝（９ｄ）（９ｄ）、…内に各ブラシ繊維束（４ｄ）…を圧着挾持するようにした例である。
【００１７】
上記図２〜図５の各実施例においては、これらを事務機器等の被貼着面に貼着するため、それらの基材（１ａ）、（１ｂ）、（１ｃ）、（１ｄ）の外側面に、図２に例示すように両面に粘着剤（７ａ）、（７ａ）を有する剥離紙（８ａ）つき両面粘着テープ（６ａ）を貼付しておくとよい。
【００１８】
【考案の効果】
本考案の除電ブラシによれば、導電性板状金属からなる基材の段部が各ブラシ繊維束に圧接するから、各ブラシ繊維束を基材に確実に導通させることができ、それにより、各種事務機器等の合成樹脂面に使用した場合に基材から直接アース取りを可能にする除電ブラシを、従来品より安価に提供できるのである。
【図面の簡単な説明】
【図１】（イ）本考案による除電ブラシの斜面図である。
（ロ）同上拡大横断面図である。
【図２】他の実施例の拡大横断面図である。
【図３】さらに他の実施例の拡大横断面図である。
【図４】別の実施例の拡大横断面図である。
【図５】（イ）さらに別の実施例の拡大横断面図である。
（ロ）基材の展開状態の一部省略拡大斜面図である。
【図６】（イ）従来例の拡大横断面図である。
（ロ）他の従来例の同上断面図である。
【符号の説明】
１、１ａ、１ｂ、１ｃ、１ｄ　基材
３、３ａ、３ｂ、３ｃ、３ｄ　段部
４、４ａ、４ｂ、４ｃ、４ｄ　ブラシ繊維束
５、５ａ、５ｂ、５ｃ、５ｄ　非導電性粘着剤
【図１】
0003098736.tif 000003
【図２】
0003098736.tif 000004
【図３】
0003098736.tif 000005
【図４】
0003098736.tif 000006
【図５】
0003098736.tif 000007
【図６】
0003098736.tif 000008